(57)【特許請求の範囲】
【請求項１】
景品収容空間内で前後左右及び上下に移動可能に吊下されるキャッチャー本体と、該キャッチャー本体に支持されて景品を挟むように閉動可能な複数の把持アームと、把持アームを閉方向に付勢するアーム付勢ばねと、把持アームを開動作させる作動手段とを備えたクレーンゲーム機用キャッチャーにおいて、
把持アーム各々に設け、各把持アームを閉方向に付勢する複数のアーム付勢ばねと、
各アーム付勢ばねの付勢力を個別に調整する複数の付勢力調整手段とを設け、
前記各付勢力調整手段は、前記キャッチャー本体に回転自在に保持させた調整ねじと、該調整ねじに螺合し、前記調整ねじの回転操作にしたがってねじ送りされて螺合位置が変位する可動支持部材とを有し、
前記アーム付勢ばねは、その一端を把持アームに、その他端を前記可動支持部材に各々連結して構成したことを特徴とするクレーンゲーム機用キャッチャー。
【請求項２】
景品収容空間内で前後左右及び上下に移動可能に吊下されるキャッチャー本体と、該キャッチャー本体に支持されて景品を挟むように閉動可能な複数の把持アームと、把持アームを閉方向に付勢するアーム付勢ばねと、把持アームを開動させる作動手段とを備えたクレーンゲーム機用キャッチャーにおいて、
把持アーム各々に設け、各把持アームを閉方向に付勢する複数のアーム付勢ばねと、
各アーム付勢ばねの付勢力を個別に調整する複数の付勢力調整手段とを設け、
前記各付勢力調整手段は、前記キャッチャー本体の縦枠に嵌合し、この縦枠によって案内されて縦方向に摺動可能とした可動支持部材と、
前記縦枠の縦方向に延びるようにして前記キャッチャー本体に回転自在に保持させると共に、回転操作によって螺合位置が変位するように前記可動支持部材に螺合させた調整ねじとを有し、
前記アーム付勢ばねは、その一端を把持アームに、その他端を前記可動支持部材に各々連結して構成したことを特徴とするクレーンゲーム機用キャッチャー。
【請求項３】
請求項１又は２に記載したクレーンゲーム機用キャッチャーにおいて、
前記調整ねじは、前記可動支持部材にナット部材を設け、このナット部材に螺合させる構成としたことを特徴とするクレーンゲーム機用キャッチャー。
【請求項４】
請求項２に記載したクレーンゲーム機用キャッチャーにおいて、
前記縦枠には縦方向に延びる長孔を形成し、縦枠外から前記長孔に挿入して前記可動支持部材に螺着するねじを設け、このねじを締め込み前記可動支持部材を縦枠に固定させる構成としたことを特徴とするクレーンゲーム機用キャッチャー。
【請求項５】
請求項４に記載したクレーンゲーム機用キャッチャーにおいて、
前記縦枠には前記長孔の延びる方向に沿って前記可動支持部材の位置を示す目盛りを設けたことを特徴とするクレーンゲーム機用キャッチャー。
【発明の詳細な説明】
【０００１】
【発明の属する技術分野】
本発明は、クレーンゲーム機のキャッチャーに関するものである。
【０００２】
【従来の技術】
従来、クレーンゲーム機は、ゲーム開始後、まず前後左右に移動可能に取り付けられた移動体を操作ボタンにより所望の景品上まで移動させると、移動体から吊下されたキャッチャーが景品位置まで降下し、キャッチャーに設けられた複数の把持アームが閉動作することにより、景品を把持できるようになっている。
【０００３】
また、その後景品を把持したままキャッチャーが景品落とし口の真上まで移動し、景品落とし口の真上で把持アームが開いて景品を景品落し口に落とすことにより、遊戯者がその景品を獲得できるようになっている。
【０００４】
したがって、把持アームが景品を把持するときの把持力は、景品獲得に成功するか否かに大きく影響し、把持力が強すぎると景品が獲れすぎてゲームにならず、また、把持力が弱すぎると景品が獲れなくなって遊戯者の興味が喪失してしまうから、把持アームの把持力を適正に設定することが必要である。
【０００５】
また、把持アームの把持力や把持動作の調子が一定であると、景品をサイズや形状等の異なる物に変更した場合に、所望の景品獲得率を維持できなくなったり、ゲーム性が乏しくなり、遊戯に飽きる原因にもなるため、把持アームの把持力や把持動作の調子を容易に調整できることが望ましい。
【０００６】
従来のこの種のクレーンゲーム機においては、キャッチャーに設けられた複数の把持アームを閉じる方向に付勢するばねが用いられており、ばねの力で景品把持力を得るようにしている。
【０００７】
例えば、実開昭６１−１６３６８６号公報、特開平５−６８７５０号公報等に示されるクレーンゲーム機用キャッチャーにおいては、引張ばねの両端が２つの把持アームにそれぞれ連結されており、２つの把持アームを閉じる方向に付勢している。
【０００８】
また、実開平５−４４１７６号公報に示されるキャッチャーにおいては、２つの把持アームが２つのばねによって個別に閉方向に付勢されており、各ばねは、一端が把持アームに係止されるとともに、他端が把持アームを支持する支持体に係止されている。
【０００９】
さらに、特開２００１−４６７３０号公報に示されるキャッチャーにおいては、２つの把持アームが２つのばねによって個別に閉方向に付勢されており、各ばねは、一端が把持アームに係止されるとともに、他端がキャッチャーの中央に設けられたモーターによって変位可能に支持されている。
【００１０】
【発明が解決しようとする課題】
引張ばねの両端を２つの把持アームに連結した従来構成の場合、把持アームが閉じるときの把持力を変更するためには、引張ばねを交換する必要があり、また、強さの異なる複数のばねを用意しておく必要があるため、作業や部品管理が面倒である。
さらに、２つの把持アームには常にばね力が均等に作用するため、把持アームで景品を把持するときの把持アームの挙動が単調なものとなってしまう。
【００１１】
一方、２つの把持アームが２つのばねによって個別に閉方向に付勢されている従来構成の場合、強さの異なるばねで２つのアームに作用する力のバランスを変化させることができるが、各ばねの一端が把持アームに係止されるとともに、他端が把持アームを支持する支持体に係止されている場合、把持アームの把持力を変更するためには、２つのばねを交換する必要があり、また、強さの異なる複数のばねを用意しておく必要があるため、作業や部品管理が面倒である。
【００１２】
一方、２つのばねの一端をそれぞれ左右の把持アームに係止するとともに、他端をキャッチャーの中央に設けられたモーターによって変位可能に支持した従来構成の場合、モータによりばねの他端位置を調整することにより把持アームに作用する力を調整できるので、把持アームの把持力を任意に調整することができる。
【００１３】
しかしながら、かかる構成では２つのばねの力を個別に調整することができないため、２つのばねの力のバランスを変化させようとするときは、一方又は両方のばねを交換する必要がある。
したがって、作業や部品管理が面倒である。
【００１４】
したがって、本発明の目的は、ばね交換作業やその保管管理を要することなく、把持アームの把持力を容易に且つ必要に応じて個別に調整することができるクレーンゲーム機用キャッチャーを提供することにある。
【００１５】
【課題を解決するための手段】
上記目的を達成するため、本発明では第１の発明として、景品収容空間内で前後左右及び上下に移動可能に吊下されるキャッチャー本体と、該キャッチャー本体に支持されて景品を挟むように閉動可能な複数の把持アームと、把持アームを閉方向に付勢するアーム付勢ばねと、把持アームを開動作させる作動手段とを備えたクレーンゲーム機用キャッチャーにおいて、把持アーム各々に設け、各把持アームを閉方向に付勢する複数のアーム付勢ばねと、各アーム付勢ばねの付勢力を個別に調整する複数の付勢力調整手段とを設け、前記各付勢力調整手段は、前記キャッチャー本体に回転自在に保持させた調整ねじと、該調整ねじに螺合し、前記調整ねじの回転操作にしたがってねじ送りされて螺合位置が変位する可動支持部材とを有し、前記アーム付勢ばねは、その一端を把持アームに、その他端を前記可動支持部材に各々連結して構成したことを特徴とするクレーンゲーム機用キャッチャーを提案する。
【００１６】
上記構成のクレーンゲーム機用キャッチャーにおいては、複数の把持アームを複数のアーム付勢ばねによって個別に閉方向に付勢できるとともに、調整ねじによってねじ送りされる可動支持部材の位置変位によってアーム付勢ばねの付勢力を変える付勢力調整手段によって個別に調整することができるので、アーム付勢ばねを交換したり保管管理する手間を要することなく、把持アームの把持力を容易に且つ必要に応じて個別に微調整することができる。
したがって、景品把持力の強さ及びバランスを多様に調整できるクレーンゲーム機用キャッチャーを提供することができる。
【００１７】
第２の発明としては、景品収容空間内で前後左右及び上下に移動可能に吊下されるキャッチャー本体と、該キャッチャー本体に支持されて景品を挟むように閉動可能な複数の把持アームと、把持アームを閉方向に付勢するアーム付勢ばねと、把持アームを開動作させる作動手段とを備えたクレーンゲーム機用キャッチャーにおいて、把持アーム各々に設け、各把持アームを閉方向に付勢する複数のアーム付勢ばねと、各アーム付勢ばねの付勢力を個別に調整する複数の付勢力調整手段とを設け、前記各付勢力調整手段は、前記キャッチャー本体の縦枠に嵌合し、この縦枠によって案内されて縦方向に摺動可能とした可動支持部材と、前記縦枠の縦方向に延びるようにして前記キャッチャー本体に回転自在に保持させると共に、回転操作によって螺合位置が変位するように前記可動支持部材に螺合させた調整ねじとを有し、前記アーム付勢ばねは、その一端を把持アームに、その他端を前記可動支持部材に各々連結して構成したことを特徴とするクレーンゲーム機用キャッチャーを提案する。
この第２発明によれば、調整ねじの回転操作によってねじ送りされる可動支持部材がキャッチャー本体の縦枠に案内されて縦方向に摺動し、この可動支持部材の変位によってアーム付勢ばねの付勢力が調整される。
この結果、可動支持部材の摺動と位置決めが安定する。
第３の発明では、上記した第１又は第２の発明のクレーンゲーム機用キャッチャーにおいて、前記調整ねじは、前記可動支持部材にナット部材を設け、このナット部材に螺合させる構成としたことを特徴とするクレーンゲーム機用キャッチャーを提案する。
この第３の発明は、可動支持部材のナット部材が調整ねじに螺合してねじ送りされる。
第４の発明では、上記第２の発明のクレーンゲーム機用キャッチャーにおいて、前記縦枠には縦方向に延びる長孔を形成し、縦枠外から前記長孔に挿入して前記可動支持部材に螺着するねじを設け、このねじを締め込み前記可動支持部材を縦枠に固定させる構成としたことを特徴とするクレーンゲーム機用キャッチャーを提案する。
この第４の発明は、調整ねじを回転させて可動支持部材を摺動させた後に、ねじを締め込んで可動支持部材を縦枠に固定することができる。
【００１８】
第５の発明としては、上記第４の発明のクレーンゲーム機用キャッチャーにおいて、前記縦枠には前記長孔の延びる方向に沿って前記可動支持部材の位置を示す目盛りを設けたことを特徴とするクレーンゲーム機用キャッチャーを提案する。
この第５の発明によれば、縦枠に設けた目盛りによって可動支持部材の位置を確認しながら、調整ねじによって可動支持部材の位置を調整することができるので、各把持アームの把持力を容易に且つ的確に調整することができる。
また、付勢力調整のための動力を必要としないので、キャッチャーの大型化、重量増、コストアップ等を防止することができる。
【００１９】
【発明の実施の形態】
以下、図面を参照して本発明の好ましい実施形態を説明する。
図１から図５までは本発明の一実施形態を示したものである。図１はクレーンゲーム機用キャッチャーの内部構造を示す一部縦断正面図であり、図２は図１に示すキャッチャーの更なる内部構造を示す一部縦断正面図である。
【００２０】
図３は図１に示すキャッチャーの一部縦断右側面図であり、図４はキャッチャーの把持アームが開いた状態を示す図２同様の一部縦断正面図である。
図５（ａ）、（ｂ）はそれぞれ図１に示すキャッチャーを備えたクレーンゲーム機の動作説明図である。
【００２１】
はじめに図１〜図４を参照すると、クレーンゲーム機用のキャッチャー１０は、下端が開口した釣鐘形のカバー本体１１と、その内部に固定されたキャッチャー本体１２と、カバー本体１１の下端開口部を覆う下カバー１３とを備えている。
【００２２】
キャッチャー本体１２は、ベース板１４と、天板１５と、これらベース板１４と天板１５とを連結する２つの左右一対の縦枠１６，１７とを有している。縦枠１６，１７は横断面略コ字形をなしており、コ字形の縦壁部により囲まれた内部空間が側方に開口するように、キャッチャー本体１２の縦中心軸線を中心として左右対称に配置されている。
【００２３】
カバー本体１１は天板１５の上面に立設された複数のポスト１８にねじ止めされている。
また、下カバー１３は、キャッチャー本体１２のベース板１４の下面より下方に垂下した複数のポスト１９にねじ止めされている。
【００２４】
キャッチャー本体１２のベース板１４の上面にはアーム支持ブラケット２０，２１が左右対称に取り付けられており、これらブラケット２０，２１に、略Ｃ字状をなす左右一対の把持アーム２２，２３が支持軸２４，２５を介して、それぞれ回動可能に且つ左右対称に取り付けられており、両把持アーム２２，２３は、支持軸２４，２５を中心とした回動により、開閉動作するものとなっている。
【００２５】
把持アーム２２，２３は、カバー本体１１に形成されたスリット１１ａ，１１ｂ及び下カバー１３に形成されたスリット１３ａ，１３ｂを通り外部に延びており、把持アーム２２，２３の下端にはぬいぐるみ等の景品１（図５参照）を挟むための把持爪板２６，２７が取り付けられている。
【００２６】
把持アーム２２，２３の上端にはばね取付部２８，２９が設けられており、把持アーム２２，２３はばね取付部２８，２９の近傍の位置で上記支持軸２４，２５に支持されている。
【００２７】
図２及び図４に示すように、ベース板１４の両側端にはスリット１４ａ、１４ｂが左右対称に形成されており、把持アーム２２，２３が図４に示す開位置から図２に示す閉位置へと移動するとき、把持アーム２２，２３の上端のばね取付部２８，２９は、ベース板１４の両側端に形成されたスリット１４ａ、１４ｂを通り、縦枠１６，１７内へと移動することができるようになっている。
【００２８】
ばね取付部２８，２９にはそれぞれアーム付勢ばね３０，３１の一端が取り付けられており、把持アーム２２，２３はアーム付勢ばね３０，３１のばね力によって閉じる方向に付勢されている。
【００２９】
キャッチャー本体１２におけるベース板１４の中央部上面にはキャッチモータ３２が取り付けられており、ベース板１４の中央部下方には、キャッチモータ３２によって回転駆動される略楕円形の板カム３３が設けられている。
【００３０】
これらキャッチモーター３２及び板カム３３は把持アーム２２，２３を開閉動作させるための作動手段を構成している。上記把持アーム２２，２３の内側には板カム３３の外周に当接可能なローラー３４，３５が各々回転自在に取り付けられている。
【００３１】
図４に示すように、板カム３３が楕円長軸側の両端３３ａ，３３ｂでローラー３４，３５に当接する位置（開規定位置）にあるときは、把持アーム２２，２３は開いた状態に保たれる。
【００３２】
一方、図１及び図２に示すように、板カム３３が楕円短軸側の両端３３ｃ，３３ｄでローラー３４，３５に当接する位置（閉規定位置）にあるときは、把持アーム２２，２３は閉じた状態となる。
【００３３】
さらに、キャッチャー本体１２には板カム３３が上記開規定位置及び閉規定位置にあることを検出するカムセンサー３６，３７が設けられている。
ここではカムセンサー３６，３７としてフォトセンサーが用いられており、キャッチャー本体１２の垂直中心軸線を中心として互いに対称となる位置に配置されている。
【００３４】
一方、板カム３３上にはキャッチャー本体１２の垂直中心軸線を中心として角度９０°の間隔で高さの高い遮光板３８と高さの低い遮光板３９が交互に配置されており、一方のカムセンサー３６は高さの高い遮光板３８のみを検知できる高さ位置に設定されており、他方のカムセンサー３７は両方の遮光板３８，３９を検知できる高さ位置に設定されている。
【００３５】
さらに、キャッチャー本体１２にはアーム付勢ばね３０，３１の付勢力を個別に調整することができる２つの付勢力調整手段４０，４１が設けられている。
【００３６】
この実施形態においては、付勢力調整手段４０，４１は、キャッチャー本体１２の縦枠１６，１７に対し該縦枠１６，１７の前面に設けられた目盛４２，４３（図１参照）に沿って位置調整可能な可動支持部材４４，４５と、該可動支持部材４４，４５の位置を調整する調整ねじ４６，４７とを有しており、アーム付勢ばね３０，３１は、上記したように、一端が把持アーム２２，２３のばね取付部２８，２９に連結されており、他端が可動支持部材４４，４５に連結されている。
【００３７】
さらに詳しく説明すると、可動支持部材４４，４５は、縦枠１６，１７の内側に上下方向に摺動可能に嵌合している。
また、図３に示すように、縦枠１７の前壁及び後壁にはそれぞれ上下方向に延びる長孔４８、４９が形成されており、可動支持部材４５の前壁及び後壁には長孔４８，４９内を上下動可能なねじ５０，５１が螺着されている。
【００３８】
したがって、可動支持部材４５はねじ５０，５１を介して縦枠１７に対し上下動可能に案内されている。
縦枠１６にも同様に長孔４８，４９が形成されており、可動支持部材４４にはこれら長孔４８，４９内を上下に移動可能なねじ５０，５１が設けられている。
【００３９】
一方、調整ねじ４６，４７はキャッチャー本体１２の天板１５に回転自在に保持されており、且つ、天板１５から下方に延びて可動支持部材４４，４５の上壁下面に固着されたナット部材５２，５３と螺合している。
【００４０】
したがって、調整ねじ４６，４７を回すことにより、可動支持部材４４，４５を上下に位置調整することができる。そして、可動支持部材４４，４５を上下に位置調整することにより、アーム付勢ばね３０，３１の上記他端をばね伸縮方向に変位させることができるので、アーム付勢ばね３０，３１による把持アーム２２，２３の付勢力、すなわち、把持アーム２２，２３による把持力を調整することができる。
【００４１】
しかも、上記調整ねじ４６，４７の操作により、アーム付勢ばね３０，３１の付勢力を個別に調整することができるので、必要に応じ把持アーム２２，２３による把持力の左右バランスを変えることもできる。
【００４２】
なお、調整ねじ４６，４７による可動支持部材４４，４５の位置調整が終了した後、可動支持部材４４，４５に螺着されているねじ５０，５１を締め込むことによって、可動支持部材４４，４５を縦枠１６，１７に固定させる。
【００４３】
次に図５（ａ）、（ｂ）を参照すると、クレーンゲーム機は、景品収容空間６０の上方において左右方向（紙面に垂直な方向）に延びる固定レール（図示省略）を有し、固定レールに沿って左右方向に移動可能な移動レール６１には、該移動レール６１を左右方向に移動させるためのＸ軸駆動モータ（図示省略）が設けられている。
【００４４】
また、移動レール６１には移動体６２が前後方向に移動可能に設けられており、移動体６２には、該移動体６２を前後方向に移動させるためのＹ軸駆動モータ６３が設けられている。
【００４５】
さらに、移動体６２は真下に向かって延びる伸縮パイプ６４を有しており、該伸縮パイプ６４の下端に上記キャッチャー本体１２が取り付けられている。また、移動体６２には、リール６５と、該リール６５を正逆回転駆動するＺ軸モータ６６が設けられており、リール６５に巻き付けられた吊り条６７の先端がキャッチャー本体１２に連結されている。
そして、Ｚ軸モーター６６を駆動してリール６５を正回転及び逆回転させることによりキャッチャー１０を昇降動させることができるものとなっている。
【００４６】
さらに、移動体６２にはキャッチャー１０が昇降ストーロークの上限位置に到達したことを検出する上限位置センサー６８と、キャッチャー１０が下限位置に到達したことを検出する下限位置センサー６９が設けられている。
【００４７】
特に限定はされないが、上限位置センサー６８としては例えば伸縮パイプ６４が所定長さまで短縮したことを検出できるリミットスイッチを用いることができる。
【００４８】
また、下限位置センサー６９としては吊り条６７のテンションの弛みの変化を直接若しくは検知レバーを介して間接的に検出する接触型若しくは非接触型のセンサーを用いることができる。
【００４９】
さらに、景品収容空間６０の下部には景品落とし口７０が上方に開口して設けられており、この景品落とし口７０内に落下した景品をゲーム機の外部に取り出すことができるようになっている。
景品落とし口７０には景品の通過を検出する景品センサー７１が設けられている。
【００５０】
上記構成を有するクレーンゲーム機においては、図示しないコイン投入口にコインを投入すると、ゲームがスタートする。先ず遊戯者が図示しない２つの押しボタンを順番に操作して移動体６２を左右方向及び前後方向に移動させる。
【００５１】
そして、キャッチャー１０が景品１の真上位置に到達したら、押しボタンから指を離す。これにより、移動体６２が停止するとともに、把持アーム２２，２３が開いた状態でキャッチャー１０が降下を始める。
【００５２】
キャッチャー１０が景品１に当たる位置まで降下すると、該キャッチャー１０が下限位置に到達したことを、移動体６２に設けられている下限位置センサー６９が検出し、Ｚ軸モーター６６を停止させて、キャッチャー１０の降下を停止させるとともに、キャッチャーモーター３２を作動させて、板カム３３を図４に示す上記開規定位置から図１及び図２に示す上記閉規定位置まで９０°回動させる。
【００５３】
これにより、把持アーム２２，２３は閉動可能となり、把持アーム２２，２３の自重及びアーム付勢ばね３０，３１のばね力で閉動する。
したがって、キャッチャー１０の位置が適切であれば、把持アーム２２，２３により景品１を把持することができる。
【００５４】
一方、キャッチャー１０は、下限位置センター６９の検出信号により、或いは、板カム３３が図１及び図２に示す上記閉規定位置に到達したことを検出するカムセンサー３６，３７の検出信号により、上昇を開始し、上限位置に到達したら景品落とし口７０の真上位置まで移動される。
【００５５】
そして、キャッチャー１０が景品落とし口７０の真上位置で停止したら、キャッチモーター３２が作動して、把持アーム２２，２３を開動作させるので、把持アーム２２，２３が景品１を把持していたときは、その景品１を解放し、景品落とし口７０内へと落下させ、ゲームを終了する。
【００５６】
上記したように、本発明によるキャッチャー１０においては、左右の把持アーム２２，２３をアーム付勢ばね３０，３１によって個別に閉方向に付勢できるとともに、アーム付勢ばね３０，３１の付勢力を付勢力調整手段４０，４１によって個別に調整することができるので、アーム付勢ばね３０，３１を交換したり保管管理する手間を要することなく、把持アーム２２，２３の把持力を容易に且つ必要に応じて個別に調整することができる。
【００５７】
また、上記構成のキャッチャー１０においては、キャッチャー本体１２に設けられた目盛４２，４３によって可動支持部材４４，４５の位置を確認しながら、調整ねじ４６，４７によって可動支持部材４４，４５の位置を調整することができるので、各把持アーム２２，２３の把持力を容易に且つ的確に調整することができる。
また、付勢力調整のための動力を必要としないので、キャッチャー１０の大型化、重量増、コストアップ等を防止することができる。
【００５８】
以上、図示実施形態につき説明したが、本発明は上記実施形態の態様のみに限定されるものではなく、特許請求の範囲に記載した構成要素に種々の変更を加えることができる。
【００５９】
例えば、キャッチャー１０に設けられる把持アームは２本に限られず、３本以上であってもよい。その場合、把持アームと同数のアーム付勢ばね及び付勢力調整手段を配置することができる。
【００６０】
また、アーム付勢ばねは、図示コイルばねに限られず、把持アームに対し弾性付勢力を与えることができるものであれば、他の如何なる種類のばね、弾力性部材等であってもよい。
【００６１】
【発明の効果】
以上の説明から明らかなように、本発明によれば、複数の把持アームを複数のアーム付勢ばねによって個別に閉方向に付勢できるとともに、アーム付勢ばねの付勢力を付勢力調整手段によって個別に調整することができるので、アーム付勢ばねを交換したり保管管理する手間を要することなく、把持アームの把持力を容易に且つ必要に応じて個別に調整することができる。
したがって、景品把持力の強さ及びバランスを多様に調整できるクレーンゲーム機用キャッチャーを提供することができる。
【図面の簡単な説明】
【図１】図１は本発明の一実施形態に係るクレーンゲーム機用キャッチャーの内部構造を示す一部縦断正面図である。
【図２】図１に示すキャッチャーの更なる内部構造を示す一部縦断正面図である。
【図３】図１に示すキャッチャーの一部縦断右側面図である。
【図４】図１に示すキャッチャーの把持アームが開いた状態を示す図２同様の一部縦断正面図である。
【図５】（ａ）、（ｂ）はそれぞれ図１に示すキャッチャーを備えたクレーンゲーム機の動作説明図である。
【符号の説明】
１０    キャッチャー
１２    キャッチャー本体
２２，２３    把持アーム
３０，３１    アーム付勢ばね
３２    キャッチモーター（作動手段）
３３    板カム（作動手段）
４０，４１    付勢力調整手段
４２，４３    目盛
４４，４５    可動支持部材
４６，４７    調整ねじ
【図１】
0003936570.tif 000002
【図２】
0003936570.tif 000003
【図３】
0003936570.tif 000004
【図４】
0003936570.tif 000005
【図５】
0003936570.tif 000006